【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】
像担持体と、
前記像担持体を帯電する帯電部材と、
前記帯電部材に対して複数の交流電圧を印加可能な電圧出力部と、
前記複数の交流電圧のうちの一つを選択するための情報を記憶するメモリと、
前記電圧出力部から前記帯電部材に対して交流電圧を出力した際に前記像担持体に流れる電流を検知する検知部と、
前記メモリに記憶されている前記情報と、前記検知部によって検知される検出値とに応じて、画像形成中に前記電圧出力部から前記帯電部材に出力する交流電圧を決定する制御部と、
を有することを特徴とする画像形成装置。
【請求項２】
前記複数の交流電圧のうちの一つを選択するための情報とは、前記像担持体を帯電するための交流電圧を決定するための閾値であることを特徴とする請求項１に記載の画像形成装置。
【請求項３】
前記電圧出力部は、複数の交流電圧を前記帯電部材に出力可能であり、前記制御部は、前記電圧出力部からの複数の交流電圧を前記帯電部材に出力した際に、前記検知部によって検知される複数の検出値と前記メモリに記憶されている前記閾値とを比較して、前記閾値以上の前記検出値に対応した前記電圧出力部から出力される交流電圧のうちの最小の交流電圧を、画像形成中に前記電圧出力部から前記帯電部材に出力する交流電圧と決定することを特徴とする請求項２に記載の画像形成装置。
【請求項４】
前記メモリには、更に、前記像担持体の使用量に関する情報を記憶しており、前記制御部は、前記使用量に関する情報に対応した、前記複数の交流電圧のうちの一つを選択するための情報に応じて、画像形成中に前記電圧出力部から前記帯電部材に出力する交流電圧を決定することを特徴とする請求項１〜３の何れかの項に記載の画像形成装置。
【請求項５】
前記メモリには、更に、前記像担持体の使用量に関する情報を記憶しており、前記制御部は、前記像担持体の使用量が所定値になるタイミングで前記交流電圧を決定する制御を行なうことを特徴とする請求項１〜３の何れかの項に記載の画像形成装置。
【請求項６】
前記帯電部材には、前記電圧出力部から交流電圧と直流電圧とを重畳した電圧が印加され、前記帯電部材に印加される複数の交流電圧のうちの最小の電圧値が、前記直流電圧の２倍より大きい値であることを特徴とする請求項１〜５の何れかの項に記載の画像形成装置。
【請求項７】
前記メモリには、更に前記像担持体の使用量に関する情報を記憶しており、前記制御部は、前記像担持体の使用量に関する情報と、前記決定した交流電圧を印加した場合に前記検知部によって検知される検出値と前記決定した交流電圧より小さい交流電圧を前記帯電部材に印加した場合に前記検知部によって検知される検出値との差の値を用いて、画像形成中に前記帯電部材に出力する交流電圧を制御することを特徴とする請求項１〜３の何れかの項に記載の画像形成装置。
【請求項８】
前記像担持体と、前記帯電部材と、前記メモリを一体化したカートリッジが着脱可能であることを特徴とする請求項１〜７の何れかの項に記載の画像形成装置。
【請求項９】
前記カートリッジは、更に、前記像担持体上に形成された静電潜像を現像するための現像部材と、前記像担持体上の現像剤をクリーニングするためのクリーニング部材のいずれかを有することを特徴とする請求項８に記載の画像形成装置。
【請求項１０】
画像形成装置に着脱可能なカートリッジであって、
像担持体と、
前記カートリッジに関する情報を記憶するメモリ媒体と、
前記像担持体を帯電する帯電部材と、を有し、前記帯電部材には複数の交流電圧が印加可能であって、
前記メモリ媒体は、前記複数の交流電圧のうちの一つを選択するための情報を記憶する記憶領域を有することを特徴とするカートリッジ。
【請求項１１】
前記複数の交流電圧のうちの一つを選択するための情報とは、前記帯電部材に印加する交流電圧を決定するための閾値であることを特徴とする請求項１０に記載のカートリッジ。
【請求項１２】
前記メモリ媒体は、更に、前記像担持体の使用量に関する情報とを記憶する記憶領域を有し、前記複数の交流電圧のうちの一つを選択するための情報と、前記像担持体の使用量に関する情報とに基づいて前記帯電部材に印加される交流電圧が決定されることを特徴とする請求項１０に記載のカートリッジ。
【請求項１３】
前記メモリ媒体は、更に、前記像担持体の使用量を演算するための演算係数に関する情報を記憶する記憶領域を有する請求項１２に記載のカートリッジ。
【請求項１４】
前記カートリッジは、更に、前記像担持体上に形成された静電潜像を現像するための現像部材と、前記像担持体上の現像剤をクリーニングするためのクリーニング部材のいずれかを有することを特徴とする請求項１０〜１３のいずれかの項に記載のカートリッジ。
【請求項１５】
画像形成装置に着脱可能なカートリッジに搭載されるメモリ媒体であって、
前記カートリッジは、像担持体と、前記像担持体を帯電する帯電部材と、を含み、前記帯電部材には複数の交流電圧が印加可能であって、
前記メモリ媒体は、前記複数の交流電圧のうちの一つを選択するための情報を記憶する記憶領域を有することを特徴とするメモリ媒体。
【請求項１６】
前記複数の交流電圧のうちの一つを選択するための情報とは、前記帯電部材に印加する交流電圧を決定するための閾値であることを特徴とする請求項１５に記載のメモリ媒体。
【請求項１７】
更に、前記像担持体の使用量に関する情報を記憶する記憶領域を有し、前記複数の交流電圧のうちの一つを選択するための情報と、前記像担持体の使用量に関する情報とに基づいて前記帯電部材に印加される交流電圧が決定されることを特徴とする請求項１５に記載のメモリ媒体。
【請求項１８】
更に、前記像担持体の使用量を演算するための演算係数に関する情報を記憶する記憶領域を有する請求項１７に記載のメモリ媒体。
【請求項１９】
前記カートリッジは、更に、前記像担持体上に形成された静電潜像を現像するための現像部材と、前記像担持体上の現像剤をクリーニングするためのクリーニング部材のいずれかを有することを特徴とする請求項１５〜１８の何れかの項に記載のメモリ媒体。
【請求項２０】
本体とカートリッジを含む画像形成装置を制御する制御システムであって、
前記画像形成装置は、像担持体と、前記像担持体を帯電する帯電部材と、前記帯電部材に対して複数の交流電圧を印加可能な電圧出力部と、前記電圧出力部から前記帯電部材に対して交流電圧を出力した際に前記像担持体に流れる電流を検知する検知部と、を含み、
前記制御システムは、
前記カートリッジに搭載される、前記複数の交流電圧のうちの一つを選択するための情報を記憶する記憶領域を有するメモリ媒体と、
前記メモリ媒体に記憶されている前記情報と前記検知部によって検知される検出値とを用いて、画像形成中に前記電圧出力部から前記帯電部材に出力する交流電圧を決定する制御部と、を有する
ことを特徴とする制御システム。
【請求項２１】
前記複数の交流電圧のうちの一つを選択するための情報とは、前記帯電部材に印加する交流電圧を決定するための閾値情報であることを特徴とする請求項２０に記載の制御システム。
【請求項２２】
前記電圧出力部は、複数の交流電圧を前記帯電部材に出力可能であり、前記制御部は、前記電圧出力部からの複数の交流電圧を前記帯電部材に出力した際に、前記検知部によって検知される複数の検出値と前記メモリに記憶されている前記閾値とを比較して、前記閾値以上の前記検出値に対応した前記電圧出力部から出力される交流電圧のうちの最小の交流電圧を、画像形成中に前記電圧出力部から前記帯電部材に出力する交流電圧と決定することを特徴とする請求項２１に記載の制御システム。
【請求項２３】
前記メモリ媒体は、更に、前記像担持体の使用量に関する情報を記憶する記憶領域を有し、前記制御部は、前記使用量に関する情報に応じて、前記複数の交流電圧のうちの一つを選択するための情報を切り替えて、画像形成中に前記帯電部材に出力する交流電圧を決定することを特徴とする請求項２０〜２２の何れかの項に記載の制御システム。
【請求項２４】
前記カートリッジは、更に、前記像担持体上に形成された静電潜像を現像するための現像部材と、前記像担持体上の現像剤をクリーニングするためのクリーニング部材のいずれかを有することを特徴とする請求項２０〜２２の何れかの項に記載の制御システム。
【手続補正２】
【補正対象書類名】明細書
【補正対象項目名】００２５
【補正方法】変更
【補正の内容】
【００２５】
【課題を解決するための手段】
（１）上記目的を達成するための、本発明の画像形成装置は、
像担持体と、
前記像担持体を帯電する帯電部材と、
前記帯電部材に対して複数の交流電圧を印加可能な電圧出力部と、
前記複数の交流電圧のうちの一つを選択するための情報を記憶するメモリと、
前記電圧出力部から前記帯電部材に対して交流電圧を出力した際に前記像担持体に流れる電流を検知する検知部と、
前記メモリに記憶されている前記情報と、前記検知部によって検知される検出値とに応じて、画像形成中に前記電圧出力部から前記帯電部材に出力する交流電圧を決定する制御部と、
を有することを特徴とする画像形成装置である。
【手続補正３】
【補正対象書類名】明細書
【補正対象項目名】００２６
【補正方法】変更
【補正の内容】
【００２６】
（２）また、本発明のカートリッジは、
画像形成装置に着脱可能なカートリッジであって、
像担持体と、
前記カートリッジに関する情報を記憶するメモリ媒体と、
前記像担持体を帯電する帯電部材と、を有し、前記帯電部材には複数の交流電圧が印加可能であって、
前記メモリ媒体は、前記複数の交流電圧のうちの一つを選択するための情報を記憶する記憶領域を有することを特徴とするカートリッジである。
【手続補正４】
【補正対象書類名】明細書
【補正対象項目名】００２７
【補正方法】変更
【補正の内容】
【００２７】
（３）また、本発明のメモリ媒体は、
画像形成装置に着脱可能なカートリッジに搭載されるメモリ媒体であって、
前記カートリッジは、像担持体と、前記像担持体を帯電する帯電部材と、を含み、前記帯電部材には複数の交流電圧が印加可能であって、
前記メモリ媒体は、前記複数の交流電圧のうちの一つを選択するための情報を記憶する記憶領域を有することを特徴とするメモリ媒体である。
【手続補正５】
【補正対象書類名】明細書
【補正対象項目名】００２８
【補正方法】変更
【補正の内容】
【００２８】
（４）また、本発明の制御システムは、
本体とカートリッジを含む画像形成装置を制御する制御システムであって、
前記画像形成装置は、像担持体と、前記像担持体を帯電する帯電部材と、前記帯電部材に対して複数の交流電圧を印加可能な電圧出力部と、前記電圧出力部から前記帯電部材に対して交流電圧を出力した際に前記像担持体に流れる電流を検知する検知部と、を含み、
前記制御システムは、
前記カートリッジに搭載される、前記複数の交流電圧のうちの一つを選択するための情報を記憶する記憶領域を有するメモリ媒体と、
前記メモリ媒体に記憶されている前記情報と前記検知部によって検知される検出値とを用いて、画像形成中に前記電圧出力部から前記帯電部材に出力する交流電圧を決定する制御部と、を有する
ことを特徴とする制御システムである。
【手続補正６】
【補正対象書類名】明細書
【補正対象項目名】００５４
【補正方法】変更
【補正の内容】
【００５４】
以上に説明した直流電圧Ｖｄｃ１、Ｖｄｃ２を足し合わせて所望の直流電圧が得られる。この直流電圧が、交流電圧昇圧手段Ｔ１の２次側で前述した交流電圧と重畳され、プロセスカートリッジＣ内の帯電ローラ２に印加される。すなわち、本例の方式は、交流出力選択手段４０によって選択されて交流発振出力部３１から出力された交流ピーク間電圧に直流電圧を重畳した電圧を帯電ローラ２に印加する定電圧制御方式である。